(57)【要約】【課題】原ガスに対する高い清浄化能力を維持しつつ、安定して高効率に有機溶剤の分解処理ができるとともに、エネルギー消費量の低減が図られた有機溶剤含有ガス処理システムを提供する。【解決手段】有機溶剤含有ガス処理システム１Ａは、吸脱着処理装置１０と、燃焼装置２０と、吸脱着処理装置１０にキャリアガスを供給する配管ラインＬ３と、吸脱着処理装置１０から排出された一次処理ガスを燃焼装置２０に供給する搬送路と、当該搬送路上に設けられた流路切替弁３０とを備える。燃焼装置２０は、蓄熱材２３ａ，２３ｂが収容された第１および第２蓄熱室２２Ａ，２２Ｂと、酸化分解触媒２４ａ，２４ｂが設けられた反応室２２Ｃとを含む。流路切替弁３０は、燃焼装置２０に供給される一次処理ガスの燃焼装置２０内における通流方向を時間的に交互に切り替える。配管ラインＬ３は、燃焼装置２０に熱接触する熱交換部Ｌ３ｂを有する。【選択図】図１
2014001894.tif 000002
【特許請求の範囲】
【請求項１】
有機溶剤を含有する原ガスから有機溶剤を分離することで原ガスを清浄化して排出するとともに、原ガスから分離した有機溶剤をキャリアガスを用いて回収して酸化分解する有機溶剤含有ガス処理システムであって、
有機溶剤を吸着および脱着する吸脱着素子を含み、原ガスとキャリアガスとを時間的に交互に前記吸脱着素子に接触させることによって有機溶剤を原ガスからキャリアガスに移動させる吸脱着処理装置と、
有機溶剤を含有するキャリアガスを加熱することで有機溶剤を酸化分解させる燃焼装置と、
前記吸脱着処理装置にキャリアガスを供給するキャリアガス供給路と、
前記吸脱着処理装置から排出された有機溶剤を含有するキャリアガスを前記燃焼装置に供給する搬送路と、
前記搬送路上に設けられた流路切替弁とを備え、
前記燃焼装置は、蓄熱材が収容された第１蓄熱室および第２蓄熱室と、酸化分解触媒および当該酸化分解触媒を加熱する加熱手段が設けられた反応室とを含み、
前記流路切替弁は、前記燃焼装置に供給される有機溶剤を含有するキャリアガスが、前記燃焼装置内において前記第１蓄熱室、前記反応室、前記第２蓄熱室の順で通流する第１通流状態と、前記燃焼装置内において前記第２蓄熱室、前記反応室、前記第１蓄熱室の順で通流する第２通流状態とに時間的に交互に切り替えるものであり、
前記吸脱着処理装置に供給されるキャリアガスが前記燃焼装置内を通流するガスと熱交換可能となるように、前記キャリアガス供給路が前記燃焼装置に熱接触する熱交換部を有している、有機溶剤含有ガス処理システム。
【請求項２】
前記熱交換部が、前記第１蓄熱室と前記反応室との間および前記反応室と前記第２蓄熱室との間の部分において前記燃焼装置に熱接触するように設けられている、請求項１に記載の有機溶剤含有ガス処理システム。
【請求項３】
前記燃焼装置が、有機溶剤を含有するキャリアガスに含まれる有機シリコン化合物を除去するための前処理材をさらに有し、
前記前処理材が、前記第１蓄熱室と前記反応室との間であってかつ前記熱交換部が設けられた部分と前記反応室との間および前記反応室と前記第２蓄熱室との間であってかつ前記反応室と前記熱交換部が設けられた部分との間にそれぞれ配置されている、請求項２に記載の有機溶剤含有ガス処理システム。
【請求項４】
前記熱交換部を挟んで位置する前記キャリアガス供給路の上流側部分と下流側部分とを接続するバイパス路をさらに備え、
前記バイパス路に流量制御弁が設けられている、請求項１から３のいずれかに記載の有機溶剤含有ガス処理システム。
【請求項５】
前記キャリアガスが、空気である、請求項１から４のいずれかに記載の有機溶剤含有ガス処理システム。
【請求項６】
前記流路切替弁に接続され、前記燃焼装置内に前記流路切替弁を介してパージガスを供給するパージガス供給路をさらに備え、
前記流路切替弁が、前記第１通流状態から前記第２通流状態への切り替えの合間に、有機溶剤を含有するキャリアガスの前記燃焼装置への供給を停止するとともに、前記パージガス供給路を前記燃焼装置に接続することで前記燃焼装置内においてパージガスを前記第１蓄熱室、前記反応室、前記第２蓄熱室の順で通流させ、前記第２通流状態から前記第１通流状態への切り替えの合間に、有機溶剤を含有するキャリアガスの前記燃焼装置への供給を停止するとともに、前記パージガス供給路を前記燃焼装置に接続することで前記燃焼装置内においてパージガスを前記第２蓄熱室、前記反応室、前記第１蓄熱室の順で通流させる、請求項１から５のいずれかに記載の有機溶剤含有ガス処理システム。
【請求項７】
前記パージガスが、空気である、請求項６に記載の有機溶剤含有ガス処理システム。
【請求項８】
前記酸化分解触媒が、白金、パラジウム、鉄、チタン、ジルコニウム、マンガン、銅、コバルト、ニッケル、セリウム、インジウム、タングステン、スズ、マグネシウム、カルシウム、ナトリウムおよびそれらの酸化物からなる群から選択された１種以上の材料を含んでいる、請求項１から７のいずれかに記載の有機溶剤含有ガス処理システム。
【発明の詳細な説明】
【技術分野】
【０００１】
本発明は、有機溶剤含有ガス処理システムに関し、より特定的には、有機溶剤を含有する原ガスから有機溶剤を分離することで原ガスを清浄化して排出するとともに、原ガスから分離した有機溶剤をキャリアガスを用いて回収して酸化分解する有機溶剤含有ガス処理システムに関する。
【背景技術】
【０００２】
従来、吸脱着素子としての吸着材を用いて有機溶剤の吸着処理および脱着処理を行なって有機溶剤を原ガスからキャリアガスに移動させるとともに、キャリアガスに移動させた有機溶剤を燃焼させることにより、原ガスの清浄化と有機溶剤の分解処理とを同時に実現可能にした有機溶剤含有ガス処理システムが知られている。
【０００３】
この種の有機溶剤含有ガス処理システムは、一般に、原ガスおよび高温の状態にあるキャリアガスを時間的に交互に吸着材に接触させるための吸脱着処理装置と、当該吸脱着処理装置から排出される有機溶剤を含有するキャリアガスを加熱することによって有機溶剤を燃焼させて酸化分解させるための燃焼装置とを備えている。
【０００４】
ここで、燃焼装置としては、バーナー等を用いて有機溶剤を直接燃焼させる直接燃焼方式のものや、酸化分解触媒を利用しつつ有機溶剤を燃焼させる触媒燃焼方式のもの、燃焼時に発生する熱を蓄熱材を用いて蓄熱してこれを予熱として利用しつつ有機溶剤を燃焼させる蓄熱燃焼方式のもの等がある。
【０００５】
たとえば、特開２００９−６３２１０号公報（特許文献１）や特開２０１０−２０１３７２号公報（特許文献２）、特開２０１０−２０１３７３号公報（特許文献３）には、上述した触媒燃焼方式と蓄熱燃焼方式とを組み合わせた燃焼方式であるいわゆる蓄熱式触媒燃焼方式が採用された蓄熱式触媒燃焼装置を具備してなる有機溶剤含有ガス処理システムが開示されている。
【０００６】
当該蓄熱式触媒燃焼装置を具備した有機溶剤含有ガス処理システムとすれば、酸化分解触媒の作用によって有機溶剤の酸化分解が促進されるとともに、蓄熱材の作用によって高い熱回収率が実現できるため、低いエネルギー消費量でかつ高効率に有機溶剤の分解処理が可能になる。
【先行技術文献】
【特許文献】
【０００７】
【特許文献１】特開２００９−６３２１０号公報
【特許文献２】特開２０１０−２０１３７２号公報
【特許文献３】特開２０１０−２０１３７３号公報
【発明の概要】
【発明が解決しようとする課題】
【０００８】
一般に、上記蓄熱式触媒燃焼装置を具備した有機溶剤含有ガス処理システムにおいては、燃焼装置内を通流するガスの温度が燃焼装置内の各部においてそれぞれ所望の温度となるように十分に制御されていることが重要である。当該ガスの温度が十分に制御できていない場合には、たとえば有機溶剤や酸化分解触媒の加熱が不十分となって有機溶剤の分解処理が不十分になってしまうといった問題や、燃焼装置内の温度が上昇し過ぎて熱暴走（異常燃焼）を起こしてしまうといった問題が生じ得る。
【０００９】
一方、上述したように、上記蓄熱式触媒燃焼装置を具備した有機溶剤含有ガス処理システムにおいては、低消費電力でかつ高効率に有機溶剤の分解処理が可能になるものの、当該有機溶剤含有ガス処理システムにおいて、原ガスに対する高い清浄化能力を維持しつつ、さらなるエネルギー消費量の低減が要求されていることは言うまでもない。
【００１０】
また、有機溶剤含有ガスの中に有機シリコン化合物が含まれている場合は、酸化分解触媒に有機シリコンが吸着してしまい、排ガス分解性能が低下するという問題がある。これを解決するために、酸化分解触媒の上流側に前処理材を設置し、当該前処理材によって有機シリコン化合物を吸着して除去する手法が多用されているが、酸化分解触媒の劣化を抑制するためには、当該前処理材を適切な温度に加熱する必要があり、エネルギー消費量の増加につながってしまう。
【００１１】
したがって、本発明は、上述した問題点に鑑みてなされたものであり、原ガスに対する高い清浄化能力を維持しつつ、安定して高効率に有機溶剤の分解処理ができるとともに、エネルギー消費量の低減が図られた有機溶剤含有ガス処理システムを提供することを目的とする。
【課題を解決するための手段】
【００１２】
本発明に基づく有機溶剤含有ガス処理システムは、有機溶剤を含有する原ガスから有機溶剤を分離することで原ガスを清浄化して排出するとともに、原ガスから分離した有機溶剤をキャリアガスを用いて回収して酸化分解するものであって、吸脱着処理装置と、燃焼装置と、上記吸脱着処理装置にキャリアガスを供給するキャリアガス供給路と、上記吸脱着処理装置から排出された有機溶剤を含有するキャリアガスを上記燃焼装置に供給する搬送路と、上記搬送路上に設けられた流路切替弁とを備えている。上記吸脱着処理装置は、有機溶剤を吸着および脱着する吸脱着素子を含んでおり、原ガスとキャリアガスとを時間的に交互に上記吸脱着素子に接触させることによって有機溶剤を原ガスからキャリアガスに移動させるものである。上記燃焼装置は、有機溶剤を含有するキャリアガスを加熱することで有機溶剤を酸化分解させるものであり、蓄熱材が収容された第１蓄熱室および第２蓄熱室と、酸化分解触媒および当該酸化分解触媒を加熱する加熱手段が設けられた反応室とを含んでいる。上記流路切替弁は、上記燃焼装置に供給される有機溶剤を含有するキャリアガスが、上記燃焼装置内において上記第１蓄熱室、上記反応室、上記第２蓄熱室の順で通流する第１通流状態と、上記燃焼装置内において上記第２蓄熱室、上記反応室、上記第１蓄熱室の順で通流する第２通流状態とに時間的に交互に切り替えるものである。上記キャリアガス供給路は、上記吸脱着処理装置に供給されるキャリアガスが上記燃焼装置内を通流するガスと熱交換可能となるように、上記燃焼装置に熱接触する熱交換部を有している。
【００１３】
上記本発明に基づく有機溶剤含有ガス処理システムにあっては、上記熱交換部が、上記第１蓄熱室と上記反応室との間および上記反応室と上記第２蓄熱室との間の部分において上記燃焼装置に熱接触するように設けられていることが好ましい。
【００１４】
上記本発明に基づく有機溶剤含有ガス処理システムにあっては、上記燃焼装置が、有機溶剤を含有するキャリアガスに含まれる有機シリコン化合物を除去するための前処理材をさらに有していることが好ましく、その場合には、上記前処理材が、上記第１蓄熱室と上記反応室との間であってかつ上記熱交換部が設けられた部分と上記反応室との間および上記反応室と上記第２蓄熱室との間であってかつ上記反応室と上記熱交換部が設けられた部分との間にそれぞれ配置されていることが好ましい。
【００１５】
上記本発明に基づく有機溶剤含有ガス処理システムは、さらに、上記熱交換部を挟んで位置する上記キャリアガス供給路の上流側部分と下流側部分とを接続するバイパス路を備えていることが好ましい。その場合には、上記バイパス路に流量制御弁が設けられていることが好ましい。
【００１６】
上記本発明に基づく有機溶剤含有ガス処理システムにあっては、上記キャリアガスが、空気であることが好ましい。
【００１７】
上記本発明に基づく有機溶剤含有ガス処理システムは、さらに、上記流路切替弁に接続され、上記燃焼装置内に上記流路切替弁を介してパージガスを供給するパージガス供給路を備えていることが好ましい。その場合には、上記流路切替弁が、上記第１通流状態から上記第２通流状態への切り替えの合間に、有機溶剤を含有するキャリアガスの上記燃焼装置への供給を停止するとともに、上記パージガス供給路を上記燃焼装置に接続することで上記燃焼装置内においてパージガスを上記第１蓄熱室、上記反応室、上記第２蓄熱室の順で通流させることが好ましく、また、上記第２通流状態から上記第１通流状態への切り替えの合間に、有機溶剤を含有するキャリアガスの上記燃焼装置への供給を停止するとともに、上記パージガス供給路を上記燃焼装置に接続することで上記燃焼装置内においてパージガスを上記第２蓄熱室、上記反応室、上記第１蓄熱室の順で通流させることが好ましい。
【００１８】
上記本発明に基づく有機溶剤含有ガス処理システムにあっては、上記パージガスが、空気であることが好ましい。
【００１９】
上記本発明に基づく有機溶剤含有ガス処理システムにあっては、上記酸化分解触媒が、白金、パラジウム、鉄、チタン、ジルコニウム、マンガン、銅、コバルト、ニッケル、セリウム、インジウム、タングステン、スズ、マグネシウム、カルシウム、ナトリウムおよびそれらの酸化物からなる群から選択された１種以上の材料を含んでいることが好ましい。
【発明の効果】
【００２０】
本発明によれば、原ガスに対する高い清浄化能力を維持しつつ、安定して高効率に有機溶剤の分解処理ができるとともに、エネルギー消費量の低減が図られた有機溶剤含有ガス処理システムとすることができる。
【図面の簡単な説明】
【００２１】
【図１】本発明の実施の形態１における有機溶剤含有ガス処理システムの第１処理状態を示す図である。
【図２】図１に示す有機溶剤含有ガス処理システムの第２処理状態を示す部分拡大図である。
【図３】図１に示す有機溶剤含有ガス処理システムの第３処理状態を示す部分拡大図である。
【図４】図１に示す有機溶剤含有ガス処理システムの第４処理状態を示す部分拡大図である。
【図５】本発明の実施の形態２における有機溶剤含有ガス処理システムの第１処理状態を示す図である。
【図６】比較例に係る有機溶剤含有ガス処理システムの第１処理状態を示す図である。
【図７】実施例および比較例における性能評価の結果を示す表である。
【図８】本発明の実施の形態３における有機溶剤含有ガス処理システムの第１処理状態を示す図である。
【発明を実施するための形態】
【００２２】
以下、本発明の実施の形態について、図を参照して詳細に説明する。なお、以下に示す実施の形態においては、同一のまたは共通する部分について図中同一の符号を付し、その説明は繰り返さない。
【００２３】
（実施の形態１）
図１は、本発明の実施の形態１における有機溶剤含有ガス処理システムの第１処理状態を示す図であり、図２ないし図４は、図１に示す有機溶剤含有ガス処理システムの第２ないし第４処理状態を示す部分拡大図である。
【００２４】
まず、図１を参照して、本実施の形態における有機溶剤含有ガス処理システム１Ａの構成について説明する。
【００２５】
図１に示すように、本実施の形態における有機溶剤含有ガス処理システム１Ａは、吸脱着処理装置１０と、燃焼装置２０と、流路切替弁３０と、ブロワ４１〜４４と、配管ラインＬ１〜Ｌ８とを主として備えている。
【００２６】
吸脱着処理装置１０には、配管ラインＬ１，Ｌ２がそれぞれ接続されている。配管ラインＬ１は、吸脱着処理装置１０に有機溶剤含有ガスである原ガスを供給するための配管ラインであり、当該配管ラインＬ１には、原ガスを圧送するためのブロワ４１が付設されている。配管ラインＬ２は、吸脱着処理装置１０にて原ガスから有機溶剤が除去されることで清浄化された清浄ガスを吸脱着処理装置１０から排出するための配管ラインである。
【００２７】
また、吸脱着処理装置１０には、配管ラインＬ３，Ｌ４が接続されている。配管ラインＬ３は、吸脱着処理装置１０にキャリアガスを供給するためのキャリアガス供給路に相当する配管ラインであり、当該配管ラインＬ３には、キャリアガスを圧送するためのブロワ４２が付設されている。配管ラインＬ４は、吸脱着処理装置１０にて有機溶剤が含有させられたキャリアガス（以下、これを一次処理ガスとも称する）を吸脱着処理装置１０から排出するための配管ラインである。
【００２８】
吸脱着処理装置１０は、有機溶剤を吸着および脱着する吸脱着素子１１を含んだいわゆるロータ式の吸脱着処理装置にて構成されている。吸脱着処理装置１０は、吸脱着素子１１の任意の部分に対して原ガスとキャリアガスとを時間的に交互に接触させることによって有機溶剤を原ガスからキャリアガスに移動させるものである。
【００２９】
吸脱着素子１１は、略円柱状の外形を有する吸着材からなり、その軸中心に中心軸を有している。当該中心軸には、モータ１２が接続されている。これにより、吸脱着素子１１は、当該中心軸を回転中心としてモータ１２によって回転駆動される。
【００３０】
吸脱着処理装置１０は、吸着部１１ａと脱着部１１ｂとを含んでいる。吸着部１１ａには、上述した配管ラインＬ１，Ｌ２がそれぞれ接続されており、脱着部１１ｂは、上述した配管ラインＬ３，Ｌ４がそれぞれ接続されている。
【００３１】
また、吸脱着処理装置１０は、配管ラインＬ３と脱着部１１ｂとの間にヒータ１３を有している。当該ヒータ１３は、吸脱着処理装置１０に供給されるキャリアガスが所定の脱着温度（有機溶剤の脱着に適した温度）にまで昇温されていない場合に、キャリアガスを加熱することでこれを所定の脱着温度にまで昇温させて脱着部１１ｂに供給するための補助的な加熱手段である。
【００３２】
吸脱着素子１１の回転に伴い、吸脱着素子１１の任意の部分は、吸着部１１ａと脱着部１１ｂとの間で時間的に交互に移動する。吸着部１１ａにおいては、吸脱着素子１１に原ガスを接触させることで原ガスに含有されている有機溶剤の吸着処理が行なわれる。脱着部１１ｂにおいては、吸脱着素子１１に所定の脱着温度にまで昇温されたキャリアガスを接触させることで有機溶剤の脱着処理が行なわれる。
【００３３】
すなわち、吸脱着処理装置１０においては、配管ラインＬ１を介して吸着部１１ａに原ガスが供給されることで有機溶剤が吸脱着素子１１によって吸着され、これにより原ガスから有機溶剤が分離されることで原ガスが清浄化されて清浄ガスとして配管ラインＬ２を介して外部に排出されるととともに、配管ラインＬ３を介して脱着部１１ｂに所定の脱着温度にまで昇温されたキャリアガスが供給されることで有機溶剤が吸脱着素子１１から脱着され、これにより有機溶剤を含有するキャリアガスが配管ラインＬ４に排出される。
【００３４】
なお、吸脱着素子１１は、活性アルミナ、シリカゲル、活性炭、ゼオライトのいずれかを含む吸着材にて構成される。好適には、吸脱着素子１１は、粒状、粉体状、ハニカム状等の活性炭やゼオライトによって構成される。活性炭やゼオライトは、低濃度の有機化合物を吸着および脱着する機能に優れている。
【００３５】
燃焼装置２０には、配管ラインＬ７，Ｌ８がそれぞれ接続されている。配管ラインＬ７，Ｌ８は、燃焼装置２０に上述した一次処理ガスを供給するための配管ラインであるとともに、燃焼装置２０にて一次処理ガス中に含まれる有機溶剤が酸化分解された後の処理ガスを燃焼装置２０から排出するための配管ラインである。
【００３６】
燃焼装置２０は、蓄熱材２３ａ，２３ｂおよび酸化分解触媒２４ａ，２４ｂを含んだいわゆる蓄熱式触媒燃焼方式の燃焼装置にて構成されている。燃焼装置２０は、一次処理ガスを加熱することで一次処理ガスに含まれる有機溶剤を酸化分解させるものである。
【００３７】
燃焼装置２０は、処理槽２１を含んでおり、処理槽２１の内部には、第１蓄熱室２２Ａと、第２蓄熱室２２Ｂと、反応室２２Ｃとが設けられている。第１蓄熱室２２Ａおよび第２蓄熱室２２Ｂには、蓄熱材２３ａ，２３ｂがそれぞれ収容されており、反応室２２Ｃには、酸化分解触媒２４ａ，２４ｂと、当該酸化分解触媒２４ａ，２４ｂを加熱する加熱手段としてのヒータ２５ａ，２５ｂとが設けられている。
【００３８】
第１蓄熱室２２Ａには、上述した配管ラインＬ７が接続されており、第２蓄熱室２２Ｂには、上述した配管ラインＬ８が接続されている。また、反応室２２Ｃは、第１蓄熱室２２Ａと第２蓄熱室２２Ｂとによって挟みこまれるように配置されており、第１蓄熱室２２Ａおよび第２蓄熱室２２Ｂのそれぞれに連通している。
【００３９】
なお、処理槽２１は、図示するように、同一方向に沿って延在するように並行して配置された第１蓄熱室２２Ａおよび第２蓄熱室２２Ｂの一端部同士を連結するように反応室２２Ｃが配置された構成とされていることが好ましいが、これとは異なる構成とされていてもよく、たとえば第１蓄熱室２２Ａ、第２蓄熱室２２Ｂおよび反応室２２Ｃが直線上に並んで配置された構成とされていてもよい。
【００４０】
蓄熱材２３ａ，２３ｂは、通流するガスに接触することで当該ガスとの間で熱交換を行なうものであり、高温のガスに接触することで当該ガスから熱を奪ってこれを一時的に蓄熱し、低温のガスに接触することで当該ガスに熱を与えることでその加熱を行なうものである。蓄熱材２３ａ，２３ｂは、内部にガスが通流可能な流路が形成されたハニカム状または格子状等の形状を有する成形体にて構成されていることが好ましく、その材質としては、たとえばコージライトに代表される如くのセラミックスが好適に利用できる。
【００４１】
酸化分解触媒２４ａ，２４ｂは、有機溶剤の酸化分解を促進させるための触媒であり、たとえば内部にガスが通流可能な流路が形成されたハニカム状または格子状等の形状を有する成形体にて構成されていることが好ましい。酸化分解触媒２４ａ，２４ｂとしては、白金、パラジウム、鉄、チタン、ジルコニウム、マンガン、銅、コバルト、ニッケル、セリウム、インジウム、タングステン、スズ、マグネシウム、カルシウム、ナトリウムおよびそれらの酸化物のうちの少なくともいずれかを含むものが好適に利用できる。
【００４２】
ヒータ２５ａ，２５ｂは、酸化分解触媒２４ａ，２４ｂを加熱することができるものであればどのようなものでもその使用が可能であるが、安全性や安定性、省エネルギー化の観点等から、好ましくは電気ヒータが利用される。
【００４３】
流路切替弁３０には、上述した配管ラインＬ４，Ｌ７，Ｌ８に加え、配管ラインＬ５，Ｌ６が接続されている。流路切替弁３０は、これら５つの配管ラインＬ４〜Ｌ８の接続状態を所定の４つの接続状態に時間的に切り替えるものであり、いわゆる５ポート４ポジション弁に該当する。この４つの接続状態が、それぞれ後述する第１ないし第４処理状態に対応することになる。
【００４４】
配管ラインＬ４は、燃焼装置２０に流路切替弁３０を介して一次処理ガスを供給するための配管ラインであり、上述したようにその一端が吸脱着処理装置１０の脱着部１１ｂに接続されている。配管ラインＬ５は、燃焼装置２０に流路切替弁３０を介してパージガスを供給するためのパージガス供給路に相当する配管ラインであり、当該配管ラインＬ５には、パージガスを圧送するためのブロワ４３が付設されている。配管ラインＬ６は、燃焼装置２０にて一次処理ガス中に含まれる有機溶剤が酸化分解された後の処理ガスを燃焼装置２０から排出するための配管ラインであり、当該配管ラインＬ６には、処理ガスを圧送するためのブロワ４４が付設されている。
【００４５】
流路切替弁３０は、上述した４つの接続状態のうちの特定の２つの接続状態において、配管ラインＬ４を介して燃焼装置２０に供給される一次処理ガスの当該燃焼装置２０内における流動方向を切り替える。
【００４６】
具体的には、流路切替弁３０を介して配管ラインＬ４と配管ラインＬ７とが接続されるとともに、流路切替弁３０を介して配管ラインＬ６と配管ラインＬ８とが接続された状態においては、配管ラインＬ７が燃焼装置２０に対して一次処理ガスを供給するための配管ラインとして機能する（すなわち、当該状態においては、配管ラインＬ４と配管ラインＬ７とが吸脱着処理装置１０から排出された一次処理ガスを燃焼装置２０に供給する搬送路に相当することになる）とともに、配管ラインＬ８が燃焼装置２０から処理ガスを排出するための配管ラインとして機能することになる。
【００４７】
これにより、当該状態においては、一次処理ガスが、燃焼装置２０内において第１蓄熱室２２Ａ、反応室２２Ｃ、第２蓄熱室２２Ｂの順で通流することになり、当該状態が第１通流状態に相当することになる。
【００４８】
一方、流路切替弁３０を介して配管ラインＬ４と配管ラインＬ８とが接続されるとともに、流路切替弁３０を介して配管ラインＬ６と配管ラインＬ７とが接続された状態においては、配管ラインＬ８が燃焼装置２０に対して一次処理ガスを供給するための配管ラインとして機能する（すなわち、当該状態においては、配管ラインＬ４と配管ラインＬ８とが吸脱着処理装置１０から排出された一次処理ガスを燃焼装置２０に供給する搬送路に相当することになる）とともに、配管ラインＬ７が燃焼装置２０から処理ガスを排出するための配管ラインとして機能することになる。
【００４９】
これにより、当該状態においては、一次処理ガスが、燃焼装置２０内において第２蓄熱室２２Ｂ、反応室２２Ｃ、第１蓄熱室２２Ａの順で通流することになり、当該状態が第２通流状態に相当することになる。
【００５０】
上記第１通流状態および上記第２通流状態のいずれの場合にも、燃焼装置２０に供給された一次処理ガスは、燃焼装置２０の入口部分において蓄熱材２３ａ，２３ｂのいずれか一方に接触することで加熱されて予熱され、その後、反応室２２Ｃへと流入することで燃焼させられるとともに加熱された状態にある酸化分解触媒２４ａ，２４ｂに接触することで当該一次処理ガス中に含まれる有機溶剤が酸化分解される。有機溶剤の酸化分解が行なわれた後の処理ガスは、燃焼装置２０の出口部分において蓄熱材２３ａ，２３ｂの残る一方に接触することで冷却され、燃焼装置２０から排出される。
【００５１】
ここで、蓄熱材２３ａ，２３ｂの上記残る一方による処理ガスの冷却に伴い、処理ガスが有する熱の一部が奪われて当該蓄熱材によって蓄熱されることになる。この蓄熱材によって蓄えられた熱は、上述した第１通流状態と第２通流状態との切り替えに伴い、燃焼装置２０に供給された一次処理ガスの予熱に再利用されることになる。
【００５２】
すなわち、燃焼装置２０においては、配管ラインＬ４および配管ラインＬ７，Ｌ８のいずれか一方を介して供給された一次処理ガス中に含まれる有機溶剤の酸化分解処理が行なわれ、これによって清浄化された後の処理ガスが、配管ラインＬ７，Ｌ８の残る一方および配管ラインＬ６を介して外部に排出される。
【００５３】
なお、上述した４つの接続状態のうちの残る２つの状態は、上述した配管ラインＬ５が燃焼装置２０に接続されることで燃焼装置２０内のパージ処理が行なわれる状態であるが、その詳細については後述することとする。
【００５４】
図１に示すように、本実施の形態における有機溶剤含有ガス処理システム１Ａにおいては、吸脱着処理装置１０にキャリアガスを供給するための配管ラインＬ３が、燃焼装置２０の一部と熱接触するように構成されている。より具体的には、配管ラインＬ３の一部が燃焼装置２０内に導入されており、当該燃焼装置２０に導入された部分の配管ラインＬ３が熱交換部Ｌ３ｂとして機能している。なお、当該熱交換部Ｌ３ｂを挟んで位置する配管ラインＬ３の上流側部分Ｌ３ａおよび下流側部分Ｌ３ｃのうち、上流側部分Ｌ３ａは、ブロワ４２に接続されており、下流側部分Ｌ３ｃは、吸脱着処理装置１０に接続されている。
【００５５】
本実施の形態においては、当該熱交換部Ｌ３ｂが、燃焼装置２０の第１蓄熱室２２Ａと反応室２２Ｃとの間の部分（空間）２２Ａ１および反応室２２Ｃと第２蓄熱室２２Ｂとの間の部分（空間）２２Ｂ１に導入されており、この部分２２Ａ１，２２Ｂ１において燃焼装置２０と熱接触している。当該部分２２Ａ１，２２Ｂ１は、燃焼装置２０を安定的に運転する観点（すなわち、燃焼装置２０において熱暴走が生じないようにする観点）から見た場合に、最も制御性よくその温度が制御される必要がある部分であり、想定以上にこの部分２２Ａ１，２２Ｂ１の温度が上昇しないように制御することが必要な部分である。
【００５６】
そのため、上述したように、当該部分２２Ａ１，２２Ｂ１に配管ラインＬ３の熱交換部Ｌ３ｂが設けられることにより、配管ラインＬ３を通流するキャリアガスによって当該部分２２Ａ１，２２Ｂ１の温度が上昇し過ぎないように冷却が行なわれることになり、制御性よくその温度が制御されることになり、結果として反応室２２Ｃにおける温度もより安定化することになる。したがって、燃焼装置２０の熱暴走が抑制されることになり、安定的に有機溶剤含有ガス処理システム１Ａを運転することが可能になるとともに、安定して高効率に有機溶剤の分解処理が行なえることが可能になる。
【００５７】
一方、吸脱着処理装置１０に供給されるキャリアガスは、上述したように所定の脱着温度にまで上昇されていることが必要である。仮に吸脱着処理装置１０に供給されるキャリアガスの温度が所定の脱着温度にまで昇温されていない場合には、有機溶剤の効率的な脱着処理が行なえないことになり、原ガスの清浄化能力が劣ってしまうことになる。
【００５８】
そのため、上述したように、当該部分２２Ａ１，２２Ｂ１に配管ラインＬ３の熱交換部Ｌ３ｂが設けられることにより、配管ラインＬ３を通流するキャリアガスが燃焼装置２０の廃熱によって加熱されることになり、吸脱着処理装置１０に設けられたキャリアガスを加熱するためのヒータ１３を補助的なものとすることができ、その消費電力を大幅に削減することができる。さらには、運転条件次第によっては、熱交換部Ｌ３ｂにおいて加熱されたキャリアガスの温度を上述した所定の着脱温度に安定させることも可能であり、その場合には、上述したヒータ１３の設置自体を廃止することも可能になる。したがって、原ガスに対する高い清浄化能力を維持しつつ、エネルギー消費量の低減を図ることが可能になる。
【００５９】
なお、本実施の形態における有機溶剤含有ガス処理システム１Ａにおいては、各種の有機化合物を含有するガスを原ガスとして処理することが可能であるが、トルエン、イソプロピルアルコール、メチルエチルケトン、酢酸エチル等の揮発性有機化合物を含むいわゆるＶＯＣガスの処理に特に適したものである。
【００６０】
また、上述したキャリアガスおよびパージガスとしては、空気や不活性ガス、水蒸気等、種々のものが利用可能であるが、特に空気を利用することとすれば、ランニングコストを大幅に低減することができる。
【００６１】
次に、上述した図１ないし図４を参照して、本実施の形態における有機溶剤含有ガス処理システム１Ａの具体的な動作について、上述した４つの接続状態のそれぞれに従ってより詳細に説明する。なお、以下に示す第１ないし第４処理状態は、第１処理状態、第２処理状態、第３処理状態、第４処理状態の順で実施され、第４処理状態が完了した後においては再び第１処理状態に復帰することになり、その処理が繰り返し実施される。
【００６２】
図１に示すように、第１処理状態においては、流路切替弁３０を介して配管ラインＬ４と配管ラインＬ７とが接続され、配管ラインＬ６と配管ラインＬ８とが接続され、配管ラインＬ５が他のいずれの配管とも非接続とされる。当該第１処理状態においては、吸脱着処理装置１０における吸着処理および脱着処理が行なわれるとともに、吸脱着処理装置１０から排出された一次処理ガスが燃焼装置２０に供給されることにより、当該一次処理ガス中に含まれる有機溶剤の酸化分解処理が行なわれる。
【００６３】
すなわち、第１処理状態においては、燃焼装置２０内におけるガスの通流状態が上述した第１通流状態とされる。これにより、燃焼装置２０に供給された一次処理ガスは、第１蓄熱室２２Ａにおいて蓄熱材２３ａに接触することで加熱されて予熱され、熱交換部Ｌ３ｂが設置された上記部分２２Ａ１において温度調節され、その後、反応室２２Ｃへと流入することで燃焼させられるとともに加熱された状態にある酸化分解触媒２４ａ，２４ｂに接触することで当該一次処理ガス中に含まれる有機溶剤が酸化分解される。有機溶剤の酸化分解が行なわれた後の処理ガスは、熱交換部Ｌ３ｂが設置された上記部分２２Ｂ１を通過において温度調節され、第２蓄熱室２２Ｂにおいて蓄熱材２３ｂに接触することで冷却され、その後、燃焼装置２０から排出される。その際、蓄熱材２３ｂによる処理ガスの冷却に伴い、処理ガスが有する熱の一部が奪われて当該蓄熱材２３ｂによって蓄熱される。
【００６４】
図２に示すように、第２処理状態においては、流路切替弁３０を介して配管ラインＬ５と配管ラインＬ７とが接続され、配管ラインＬ６と配管ラインＬ８とが接続され、配管ラインＬ４が他のいずれの配管とも非接続とされる。当該第２処理状態においては、パージガスが燃焼装置２０に供給されることにより、燃焼装置２０内に位置する残留ガスがパージガスに置換される。
【００６５】
その際のパージガスおよび当該パージガスによって置換される残留ガスの流れは、いずれも上述した第１通流状態に準じたものとなり、反応室２２Ｃに未だ到達していない残留ガス（すなわち、流路切替弁３０による流路の切り替えの際に、現に配管ラインＬ７、第１蓄熱室２２Ａおよび上記部分２２Ａ１中に位置している一次処理ガス）もすべて反応室２２Ｃを経由することになり、当該残留ガス中に含有された有機溶剤の酸化分解処理が行なわれた後に燃焼装置２０から排出されることになる。
【００６６】
なお、当該第２処理状態においては、キャリアガスを導入するためのブロワ４２の駆動を停止することで脱着処理を一時的に中断するか、またはこれに加えてモータ１２の駆動を停止することで吸脱着処理装置１０の運転自体を一時的に停止するか、のいずれかとすることが好ましい。
【００６７】
このようにすることにより、燃焼装置２０への一次処理ガスの供給が停止されることになり、配管ラインＬ４に一次処理ガスが滞留してしまうことが防止可能となる。したがって、その後に実施される酸化分解処理の際の燃焼装置２０における熱暴走を未然に防止することが可能になる。
【００６８】
図３に示すように、第３処理状態においては、流路切替弁３０を介して配管ラインＬ４と配管ラインＬ８とが接続され、配管ラインＬ６と配管ラインＬ７とが接続され、配管ラインＬ５が他のいずれの配管とも非接続とされる。当該第３処理状態においては、吸脱着処理装置１０における吸着処理および脱着処理が行なわれるとともに、吸脱着処理装置１０から排出された一次処理ガスが燃焼装置２０に供給されることにより、当該一次処理ガス中に含まれる有機溶剤の酸化分解処理が行なわれる。
【００６９】
すなわち、第３処理状態においては、燃焼装置２０内におけるガスの通流状態が上述した第２通流状態とされる。これにより、燃焼装置２０に供給された一次処理ガスは、第２蓄熱室２２Ｂにおいて蓄熱材２３ｂに接触することで加熱されて予熱され、熱交換部Ｌ３ｂが設置された上記部分２２Ｂ１において温度調節され、その後、反応室２２Ｃへと流入することで燃焼させられるとともに加熱された状態にある酸化分解触媒２４ｂ，２４ａに接触することで当該一次処理ガス中に含まれる有機溶剤が酸化分解される。有機溶剤の酸化分解が行なわれた後の処理ガスは、熱交換部Ｌ３ｂが設置された上記部分２２Ａ１を通過において温度調節され、第１蓄熱室２２Ａにおいて蓄熱材２３ａに接触することで冷却され、その後、燃焼装置２０から排出される。その際、蓄熱材２３ａによる処理ガスの冷却に伴い、処理ガスが有する熱の一部が奪われて当該蓄熱材２３ａによって蓄熱される。
【００７０】
図４に示すように、第４処理状態においては、流路切替弁３０を介して配管ラインＬ５と配管ラインＬ８とが接続され、配管ラインＬ６と配管ラインＬ７とが接続され、配管ラインＬ４が他のいずれの配管とも非接続とされる。当該第４処理状態においては、パージガスが燃焼装置２０に供給されることにより、燃焼装置２０内に位置する残留ガスがパージガスに置換される。
【００７１】
その際のパージガスおよび当該パージガスによって置換される残留ガスの流れは、いずれも上述した第２通流状態に準じたものとなり、反応室２２Ｃに未だ到達していない残留ガス（すなわち、流路切替弁３０による流路の切り替えの際に、現に配管ラインＬ８、第２蓄熱室２２Ｂおよび上記部分２２Ｂ１中に位置している一次処理ガス）もすべて反応室２２Ｃを経由することになり、当該残留ガス中に含有された有機溶剤の酸化分解処理が行なわれた後に燃焼装置２０から排出されることになる。
【００７２】
なお、当該第４処理状態においては、キャリアガスを導入するためのブロワ４２の駆動を停止することで脱着処理を一時的に中断するか、またはこれに加えてモータ１２の駆動を停止することで吸脱着処理装置１０の運転自体を一時的に停止するか、のいずれかとすることが好ましい。
【００７３】
このようにすることにより、燃焼装置２０への一次処理ガスの供給が停止されることになり、配管ラインＬ４に一次処理ガスが滞留してしまうことが防止可能となる。したがって、その後に実施される酸化分解処理の際の燃焼装置２０における熱暴走を未然に防止することが可能になる。
【００７４】
以上において説明したように、本実施の形態における有機溶剤含有ガス処理システム１Ａとすることにより、原ガスに対する高い清浄化能力を維持しつつ、安定して高効率に有機溶剤の分解処理ができるとともに、エネルギー消費量の低減が図られた有機溶剤含有ガス処理システムとすることができる。
【００７５】
（実施の形態２）
図５は、本発明の実施の形態２における有機溶剤含有ガス処理システムの第１処理状態を示す図である。次に、この図５を参照して、本実施の形態における有機溶剤含有ガス処理システム１Ｂについて説明する。なお、有機溶剤含有ガス処理システム１Ｂにおける第２ないし第４処理状態は、上述した本発明の実施の形態１にいて説明した第２ないし第４処理状態に準じるため、その図示は省略している。
【００７６】
図５に示すように、本実施の形態における有機溶剤含有ガス処理システム１Ｂは、上述した本発明の実施の形態１における有機溶剤含有ガス処理システム１Ａと比較して、吸脱着処理装置１０にキャリアガスを供給するためのキャリアガス供給路である配管ラインＬ３にバイパス路としての配管ラインＬ９および流量制御弁５０をさらに付設した点においてのみ相違している。
【００７７】
具体的には、配管ラインＬ９は、熱交換部Ｌ３ｂを挟んで位置する配管ラインＬ３の上流側部分Ｌ３ａと下流側部分Ｌ３ｃとを接続するように設けられ、流量制御弁５０は、当該配管ラインＬ９に設けられている。流量制御弁５０は、当該流量制御弁５０に設けられた弁体の開度を可変に調節することにより、配管ラインＬ９を通流するキャリアガスの流量を任意に制御するものであり、場合によってはその通流自体を停止するものである。
【００７８】
当該配管ラインＬ９および流量制御弁５０は、熱交換部Ｌ３ｂを通流することで昇温された高温のキャリアガスに、熱交換部Ｌ３ｂを通流することなく配管ラインＬ９を通流することで昇温されていない低温のキャリアガスを混入することにより、吸脱着処理装置１０に供給されるキャリアガスの温度が上述した脱着温度となるように調整するために設けられたものである。すなわち、流量制御弁５０を用いて配管ラインＬ９を通流する低温のキャリアガスの流量を制御することにより、高温のキャリアガスに混入される低温のキャリアガスの量が調節されることになるため、吸脱着処理装置１０に供給されるキャリアガスの温度を所望の着脱温度に調整することが可能になる。
【００７９】
ここで、流量制御弁５０の開度は、たとえば吸脱着処理装置１０に接続された部分の配管ラインＬ３に図示しない温度センサを設け、当該温度センサにて検出されたキャリアガスの温度に応じて調節されるようにすればよい。
【００８０】
このように構成することにより、上述した本発明の実施の形態１において説明した効果に加え、吸脱着処理装置１０に供給されるキャリアガスの温度をさらに安定的に脱着温度に維持することが可能になる。したがって、原ガスに対する高い清浄化能力をより確実に維持することが可能になる。
【００８１】
（実施例）
以下、上述した本発明の実施の形態２における有機溶剤含有ガス処理システム１Ｂを実際に試作し、これを運転することによってその性能を評価した結果につき、これを実施例として説明する。なお、比較のために、後述する比較例に係る有機溶剤含有ガス処理システム１Ｘを実際に試作し、これを運転することによってその性能を評価した結果についても、これを以下においてあわせて説明する。
【００８２】
図６は、比較例に係る有機溶剤含有ガス処理システムの第１処理状態を示す図である。なお、比較例に係る有機溶剤含有ガス処理システム１Ｘにおける第２ないし第４処理状態は、上述した本発明の実施の形態１にいて説明した第２ないし第４処理状態に準じるため、その図示は省略している。
【００８３】
図６に示すように、比較例に係る有機溶剤含有ガス処理システム１Ｘは、上述した本発明の実施の形態１における有機溶剤含有ガス処理システム１Ａと比較して、吸脱着処理装置１０にキャリアガスを供給するためのキャリアガス供給路である配管ラインＬ３が、燃焼装置２０に熱接触することなく吸脱着処理装置１０に直接接続されている点においてのみ相違している。当該構成の有機溶剤含有ガス処理システム１Ｘにおいては、キャリアガスの温度を所定の脱着温度にまで昇温するための加熱が、吸脱着処理装置１０に設けられたヒータ１３のみによって行なわれることになる。
【００８４】
実施例および比較例においては、有機溶剤含有ガス処理システム１Ｂ，１Ｘを以下に示す条件に基づいて運転した。
【００８５】
原ガスとしては、イソプロピルアルコールを１００ｐｐｍの濃度で含む３０℃のガスを用い、これを５００ｍ3／ｍｉｎの風量で吸脱着処理装置１０に供給した。
【００８６】
キャリアガスとしては、室温の空気を用い、これを１３０℃に加熱して２０ｍ3／ｍｉｎの風量で吸脱着処理装置１０に供給した。ここで、実施例に係る有機溶剤含有ガス処理システム１Ｂにおいては、当該キャリアガスの加熱を燃焼装置２０の廃熱を利用することで行ない、具体的には、キャリアガスの一部が配管ラインＬ３に設けた熱交換部Ｌ３ｂを通流するようにするとともに、キャリアガスの残る一部が配管ラインＬ９を通流するようにし、これらが配管ラインＬ３の下流側部分Ｌ３ｃにおいて合流することで吸脱着処理装置１０に供給されるキャリアガスの温度が安定的に１３０℃に維持されるようにした。なお、比較例に係る有機溶剤含有ガス処理システム１Ｘにおいては、上述したように、当該キャリアガスの昇温をヒータ１３のみによって行なった。
【００８７】
パージガスとしては、室温の空気を用い、これを２０ｍ3／ｍｉｎの風量で燃焼装置２０に供給した。
【００８８】
上述した第１および第３処理状態（すなわち、燃焼装置２０に一次処理ガスを供給して一次処理ガスに含まれる有機溶剤を酸化分解させる処理状態）におけるそれぞれの１回当たりの処理時間は、これを１分とした。また、上述した第２および第４処理状態（すなわち、燃焼装置２０に対する一次処理ガスの供給を停止して、代わりにパージガスを供給することで燃焼装置２０内の一次処理ガスをパージガスに置換させる処理状態）におけるそれぞれの１回当たりの処理時間は、これを８秒とした。
【００８９】
図７は、実施例および比較例における性能評価の結果を示す表である。当該表においては、実施例に係る有機溶剤含有ガス処理システム１Ｂの運転に要する消費電力と、比較例に係る有機溶剤含有ガス処理システム１Ｘの運転に要する消費電力とを特に示している。
【００９０】
上述したように、実施例に係る有機溶剤含有ガス処理システム１Ｂと比較例に係る有機溶剤含有ガス処理システム１Ｘとでは、キャリアガスの加熱方法が異なるのみであるため、吸脱着処理装置１０から排出される清浄ガスにおけるイソプロピルアルコールの濃度は、いずれも１ｐｐｍ以下となり、その除去率は９９％以上となることが確認された。
【００９１】
また、吸脱着処理装置１０から排出された一次処理ガス中におけるイソプロピルアルコールの濃度は、実施例および比較例のいずれの場合も２５００ｐｐｍであり、当該一次処理ガスの風量はいずれも２０ｍ3／ｍｉｎであり、温度はいずれも７０℃であった。
【００９２】
一方、図７に示すように、ブロワ４１，４２，４３、ヒータ１３，２５ａ，２５ｂ、モータ１２およびその他の電力消費源における消費電力を比較したところ、実施例に係る有機溶剤含有ガス処理システム１Ｂにおいては、比較例に係る有機溶剤含有ガス処理システム１Ｘに比較して、ブロワ４２，４４において若干の増加があったものの、ヒータ１３において大幅な削減が可能であることが確認された。これは、一意にキャリアガスの加熱を燃焼装置２０の廃熱によって賄った結果であると考えられ、その総消費電力量を比較した場合には、削減率は２７％超となることが確認された。
【００９３】
なお、実施例に係る有機溶剤含有ガス処理システム１Ｂにおいては、安定して高効率に有機溶剤の分解処理ができることも同時に確認されている。
【００９４】
（実施の形態３）
図８は、本発明の実施の形態３における有機溶剤含有ガス処理システムの第１処理状態を示す図である。次に、この図８を参照して、本実施の形態における有機溶剤含有ガス処理システム１Ｃについて説明する。なお、有機溶剤含有ガス処理システム１Ｃにおける第２ないし第４処理状態は、上述した本発明の実施の形態１において説明した第２ないし第４処理状態に準ずるため、その図示は省略している。
【００９５】
図８に示すように、本実施の形態における有機溶剤含有ガス処理システム１Ｃは、上述した本発明の実施の形態１における有機溶剤含有ガス処理システム１Ａと比較して、燃焼装置２０内に前処理材２６ａ，２６ｂを付設した点においてのみ相違している。
【００９６】
具体的には、前処理材２６ａ，２６ｂは、いずれも燃焼装置２０の内部に設けられたガスの流路上に設置されており、前処理材２６ａは、第１蓄熱室２２Ａと反応室２２Ｃとの間であってかつ熱交換部Ｌ３ｂが設けられた部分と反応室２２Ｃとの間に配置されており、前処理材２６ｂは、反応室２２Ｃと第２蓄熱室２２Ｂとの間であってかつ反応室２２Ｃと熱交換部Ｌ３ｂが設けられた部分との間に配置されている。
【００９７】
前処理材２６ａ，２６ｂは、通流するガスに有機シリコン化合物が含まれている場合に、これを除去するためのものである。ここで、有機シリコン化合物の除去とは、酸化分解触媒２４ａ，２４ｂの排ガス分解性能を低下させる原因となる触媒毒としての上記有機シリコン化合物を分解させたり、その被毒性を低下させたり、あるいは吸着したりすること等を含む。
【００９８】
前処理材２６ａ，２６ｂは、内部にガスが通流可能な流路が形成されたハニカム状または格子状等の形状を有する成形体にて構成されていることが好ましく、たとえばゼオライト、活性アルミナ、ケイ酸カルシウム水和物および粘土鉱物のうちの少なくともいずれかを含むものにて構成される。
【００９９】
当該前処理材２６ａ，２６ｂによる有機シリコン化合物の除去を確実にするためには、当該前処理材２６ａ，２６ｂが所定の高温の状態に維持されることが必要である。たとえば、前処理材２６ａ，２６ｂとして活性アルミナを使用した場合には、２００℃以上６００℃以下に維持されることが必要である。
【０１００】
ここで、本実施の形態における有機溶剤含有ガス処理システム１Ｃにあっては、上述した本発明の実施の形態１における有機溶剤含有ガス処理システム１Ａと同様に、熱交換部Ｌ３ｂが、第１蓄熱室２２Ａと反応室２２Ｃとの間の部分（空間）２２Ａ１および反応室２２Ｃと第２蓄熱室２２Ｂとの間の部分（空間）２２Ｂ１に設けられている。そのため、熱交換部Ｌ３ｂによって当該部分２２Ａ１，２２Ｂ１の温度が上昇し過ぎないように冷却が行なわれることに伴い、上述した前処理材２６ａ，２６ｂが設置された部分においても、制御性よくその温度が制御されることになる。その結果、前処理材２６ａ，２６ｂの温度が所定の高温の状態に安定的に維持できることになる。
【０１０１】
したがって、このように構成することにより、上述した本発明の実施の形態１において説明した効果に加え、エネルギー消費量の増大を抑制しつつ燃焼装置２０内に設置された前処理材２６ａ，２６ｂの温度を適切な温度に安定的に維持することが可能になる。そのため、低いエネルギー消費量で原ガスに対する高い清浄化能力をより確実に実現することができるようになる。
【０１０２】
以上において説明した本発明の実施の形態１ないし３においては、ロータ式の吸脱着処理装置１０を備えた有機溶剤含有ガス処理システム１Ａ〜１Ｃに本発明を適用した場合を例示して説明を行なったが、吸脱着素子が収容された２つの処理槽を具備し、これらが時間的に交互に吸着槽および脱着層に切り替えられるように構成された、いわゆる２槽式の吸脱着処理装置を備えた有機溶剤含有ガス処理システムに本発明を適用することも可能である。また、必ずしも連続的に原ガスを処理する必要がない場合等には、吸脱着処理装置を単一の処理槽を具備したものにて構成することも可能である。
【０１０３】
また、以上において説明した本発明の実施の形態１ないし３においては、第１蓄熱室２２Ａと反応室２２Ｃとの間および反応室２２Ｃと第２蓄熱室２２Ｂとの間に空間を設けて、当該空間（すなわち、上記部分２２Ａ１，２２Ｂ１）にキャリアガス供給路である配管ラインＬ３が導入されることで熱交換部Ｌ３ｂが構成された場合を例示したが、必ずしも燃焼装置２０の内部にまで配管ラインＬ３を導入する必要はなく、当該空間を規定する燃焼装置２０の処理槽２１の外表面に接触するように配管ラインＬ３を配置することで熱交換部Ｌ３ｂが構成されていてもよい。さらには、燃焼装置２０のうちの上述した部分２２Ａ１，２２Ｂ１とは異なる部分において、配管ラインＬ３との熱交換が行なわれるように構成されていてもよい。
【０１０４】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１０５】
１Ａ〜１Ｃ  有機溶剤含有ガス処理システム、１０  吸脱着処理装置、１１  吸脱着素子、１１ａ  吸着部、１１ｂ  脱着部、１２  モータ、１３  ヒータ、２０  燃焼装置、２１  処理槽、２２Ａ  第１蓄熱室、２２Ｂ  第２蓄熱室、２２Ｃ  反応室、２２Ａ１，２２Ｂ１  部分（空間）、２３ａ，２３ｂ  蓄熱材、２４ａ，２４ｂ  酸化分解触媒、２５ａ，２５ｂ  ヒータ、２６ａ，２６ｂ  前処理材、３０  流路切替弁、４１〜４４  ブロワ、５０  流量制御弁、Ｌ１〜Ｌ９  配管ライン、Ｌ３ａ  上流側部分、Ｌ３ｂ  熱交換部、Ｌ３ｃ  下流側部分。
【図１】
2014001894.tif 000003
【図２】
2014001894.tif 000004
【図３】
2014001894.tif 000005
【図４】
2014001894.tif 000006
【図５】
2014001894.tif 000007
【図６】
2014001894.tif 000008
【図７】
2014001894.tif 000009
【図８】
2014001894.tif 000010